(57)【特許請求の範囲】
【請求項１】
各操作画面を構成する各部の色をユーザに設定させるための色設定用操作画面を表示させる手段、
色設定用操作画面上において、操作画面を構成する各部の色をユーザに設定させるための設定手段、
設定手段によって設定された設定内容を保存する保存手段、ならびに
ある操作画面を表示させるための指令が入力されたときには、当該操作画面を構成する各部の色を、保存手段によって保存された設定内容に応じた色に設定して、当該操作画面を表示させる手段を備えており、
各操作画面を構成する各部は、画面の全体背景部と、画面名表示部と、画面内ボタンと、画面下部ヘルプ部と、ツリー上位移行部とからなり、画面名表示部は画面名を表す文字データと文字データを描画する下地部（矩形グラフィック）の２つのパーツからなり、画面内ボタンはボタン名を表す文字データと文字データを描画する下地部（矩形グラフィック）の２つのパーツからなり、画面下部ヘルプ部はその画面で有効となるキーのグラフィックスと、その操作方法を示す文字データと、それらを描画する下地部（矩形グラフィック）の３つのパーツからなり、ツリー上位移行部は当該階層画面の上位階層画面へ遷移を行うためのボタンのグラフイックスと、その意味を表す文字データと、それらを描画する下地部（矩形グラフィック）の３つのパーツからなり、
上記色設定用操作画面は、全体背景部の色、画面名表示部の背景色、画面下部ヘルプ部の背景色、ツリー上位移行部の背景色および画面内ボタンの色のそれぞれをユーザに個別に設定させるための画面であり、
上記設定手段は、上記色設定用操作画面上において、全体背景部の色、画面名表示部の背景色、画面下部ヘルプ部の背景色、ツリー上位移行部の背景色および画面内ボタンの色のそれぞれをユーザに個別に設定させるためのものであることを特徴とするデジタルテレビ放送受信機。
【請求項２】
各操作画面を構成する各部の色および文字色をユーザに設定させるための色設定用操作画面を表示させる手段、
色設定用操作画面上において、操作画面を構成する各部の色および文字色をユーザに設定させるための設定手段、
設定手段によって設定された設定内容を保存する保存手段、ならびに
ある操作画面を表示させるための指令が入力されたときには、当該操作画面を構成する各部の色を、保存手段によって保存された設定内容に応じた色に設定して、当該操作画面を表示させる手段を備えており、
各操作画面を構成する各部は、画面の全体背景部と、画面名表示部と、画面内ボタンと、画面下部ヘルプ部と、ツリー上位移行部とからなり、画面名表示部は画面名を表す文字データと文字データを描画する下地部（矩形グラフィック）の２つのパーツからなり、画面内ボタンはボタン名を表す文字データと文字データを描画する下地部（矩形グラフィック）の２つのパーツからなり、画面下部ヘルプ部はその画面で有効となるキーのグラフィックスと、その操作方法を示す文字データと、それらを描画する下地部（矩形グラフィック）の３つのパーツからなり、ツリー上位移行部は当該階層画面の上位階層画面へ遷移を行うためのボタンのグラフイックスと、その意味を表す文字データと、それらを描画する下地部（矩形グラフィック）の３つのパーツからなり、
上記色設定用操作画面は、全体背景部の色、画面名表示部の背景色、画面下部ヘルプ部の背景色、ツリー上位移行部の背景色、画面内ボタンの色および文字の色のそれぞれをユーザに個別に設定させるための画面であり、
上記設定手段は、上記色設定用操作画面上において、全体背景部の色、画面名表示部の背景色、画面下部ヘルプ部の背景色、ツリー上位移行部の背景色、画面内ボタンの色および文字の色のそれぞれをユーザに個別に設定させるためのものであることを特徴とするデジタルテレビ放送受信機。
【請求項３】
各操作画面を構成する各部の色、文字色および文字サイズをユーザに設定させるための色設定用操作画面を表示させる手段、
色設定用操作画面上において、操作画面を構成する各部の色、文字色および文字サイズをユーザに設定させるための設定手段、
設定手段によって設定された設定内容を保存する保存手段、ならびに
ある操作画面を表示させるための指令が入力されたときには、当該操作画面を構成する各部の色、文字色および文字サイズを、保存手段によって保存された設定内容に応じた色、文字色および文字サイズに設定して、当該操作画面を表示させる手段を備えており、
各操作画面を構成する各部は、画面の全体背景部と、画面名表示部と、画面内ボタンと、画面下部ヘルプ部と、ツリー上位移行部とからなり、画面名表示部は画面名を表す文字データと文字データを描画する下地部（矩形グラフィック）の２つのパーツからなり、画面内ボタンはボタン名を表す文字データと文字データを描画する下地部（矩形グラフィック）の２つのパーツからなり、画面下部ヘルプ部はその画面で有効となるキーのグラフィックスと、その操作方法を示す文字データと、それらを描画する下地部（矩形グラフィック）の３つのパーツからなり、ツリー上位移行部は当該階層画面の上位階層画面へ遷移を行うためのボタンのグラフイックスと、その意味を表す文字データと、それらを描画する下地部（矩形グラフィック）の３つのパーツからなり、
上記色設定用操作画面は、全体背景部の色、画面名表示部の背景色、画面下部ヘルプ部の背景色、ツリー上位移行部の背景色、画面内ボタンの色、文字の色および文字の大きさのそれぞれをユーザに個別に設定させるための画面であり、
上記設定手段は、上記色設定用操作画面上において、全体背景部の色、画面名表示部の背景色、画面下部ヘルプ部の背景色、ツリー上位移行部の背景色、画面内ボタンの色、文字の色および文字の大きさのそれぞれをユーザに個別に設定させるためのものであることを特徴とするデジタルテレビ放送受信機。
【発明の詳細な説明】
【０００１】
【発明の属する技術分野】
この発明は、デジタルテレビ放送受信機に関する。
【０００２】
【従来の技術】
デジタルテレビ放送受信機は、一般に、多くの機能・設定などを行うために、ＧＵＩ（Ｇｒａｐｈｉｃａｌ  Ｕｓｅｒ  Ｉｎｔｅｒｆａｃｅ）を備えている。そのＧＵＩも階層的に構成された複数の操作画面から成り立っているのが普通である。
【０００３】
ところで、ある操作画面から呼ばれる下層部の操作画面の数が多い場合、上層部には多くの選択用のボタンなどが配置されることになり、必然的に選択ボタンなどが小さくなる傾向があり、そのボタンに配置された文字（そのボタンがどのような動作を意味するのかを示す表記）なども必然的に小さくなる恐れがあり、配色のパターンによっては全てのユーザに対して視認し易いといえない場合もありうる。
【０００４】
また、ほとんどのデジタルテレビ放送受信機においては、操作画面上のグラフィック配色パターンや文字の大きさなどは固定的であり、ユーザが自由にカスタマイズできない固定的な構成をとっているので、ユーザが操作画面を視認し難いと感じた場合の対処方法はない。
【０００５】
【発明が解決しようとする課題】
この発明は、操作画面上のグラフィック配色パターンをユーザがカスタマイズできるようになるデジタルテレビ放送受信機を提供することを目的とする。
【０００６】
この発明は、操作画面上のグラフィック配色パターンおよび文字色をユーザがカスタマイズできるようになるデジタルテレビ放送受信機を提供することを目的とする。
【０００７】
この発明は、操作画面上のグラフィック配色パターン、文字色および文字の大きさをユーザがカスタマイズできるようになるデジタルテレビ放送受信機を提供することを目的とする。
【０００８】
【課題を解決するための手段】
この発明による第１のデジタルテレビ放送受信機は、各操作画面を構成する各部の色をユーザに設定させるための色設定用操作画面を表示させる手段、色設定用操作画面上において、操作画面を構成する各部の色をユーザに設定させるための設定手段、設定手段によって設定された設定内容を保存する保存手段、ならびにある操作画面を表示させるための指令が入力されたときには、当該操作画面を構成する各部の色を、保存手段によって保存された設定内容に応じた色に設定して、当該操作画面を表示させる手段を備えており、各操作画面を構成する各部は、画面の全体背景部と、画面名表示部と、画面内ボタンと、画面下部ヘルプ部と、ツリー上位移行部とからなり、画面名表示部は画面名を表す文字データと文字データを描画する下地部（矩形グラフィック）の２つのパーツからなり、画面内ボタンはボタン名を表す文字データと文字データを描画する下地部（矩形グラフィック）の２つのパーツからなり、画面下部ヘルプ部はその画面で有効となるキーのグラフィックスと、その操作方法を示す文字データと、それらを描画する下地部（矩形グラフィック）の３つのパーツからなり、ツリー上位移行部は当該階層画面の上位階層画面へ遷移を行うためのボタンのグラフイックスと、その意味を表す文字データと、それらを描画する下地部（矩形グラフィック）の３つのパーツからなり、上記色設定用操作画面は、全体背景部の色、画面名表示部の背景色、画面下部ヘルプ部の背景色、ツリー上位移行部の背景色および画面内ボタンの色のそれぞれをユーザに個別に設定させるための画面であり、上記設定手段は、上記色設定用操作画面上において、全体背景部の色、画面名表示部の背景色、画面下部ヘルプ部の背景色、ツリー上位移行部の背景色および画面内ボタンの色のそれぞれをユーザに個別に設定させるためのものであることを特徴とする。
【０００９】
この発明による第２のデジタルテレビ放送受信機は、各操作画面を構成する各部の色および文字色をユーザに設定させるための色設定用操作画面を表示させる手段、色設定用操作画面上において、操作画面を構成する各部の色および文字色をユーザに設定させるための設定手段、設定手段によって設定された設定内容を保存する保存手段、ならびにある操作画面を表示させるための指令が入力されたときには、当該操作画面を構成する各部の色を、保存手段によって保存された設定内容に応じた色に設定して、当該操作画面を表示させる手段を備えており、各操作画面を構成する各部は、画面の全体背景部と、画面名表示部と、画面内ボタンと、画面下部ヘルプ部と、ツリー上位移行部とからなり、画面名表示部は画面名を表す文字データと文字データを描画する下地部（矩形グラフィック）の２つのパーツからなり、画面内ボタンはボタン名を表す文字データと文字データを描画する下地部（矩形グラフィック）の２つのパーツからなり、画面下部ヘルプ部はその画面で有効となるキーのグラフィックスと、その操作方法を示す文字データと、それらを描画する下地部（矩形グラフィック）の３つのパーツからなり、ツリー上位移行部は当該階層画面の上位階層画面へ遷移を行うためのボタンのグラフイックスと、その意味を表す文字データと、それらを描画する下地部（矩形グラフィック）の３つのパーツからなり、上記色設定用操作画面は、全体背景部の色、画面名表示部の背景色、画面下部ヘルプ部の背景色、ツリー上位移行部の背景色、画面内ボタンの色および文字の色のそれぞれをユーザに個別に設定させるための画面であり、上記設定手段は、上記色設定用操作画面上において、全体背景部の色、画面名表示部の背景色、画面下部ヘルプ部の背景色、ツリー上位移行部の背景色、画面内ボタンの色および文字の色のそれぞれをユーザに個別に設定させるためのものであることを特徴とする。
【００１０】
この発明による第３のデジタルテレビ放送受信機は、各操作画面を構成する各部の色、文字色および文字サイズをユーザに設定させるための色設定用操作画面を表示させる手段、色設定用操作画面上において、操作画面を構成する各部の色、文字色および文字サイズをユーザに設定させるための設定手段、設定手段によって設定された設定内容を保存する保存手段、ならびにある操作画面を表示させるための指令が入力されたときには、当該操作画面を構成する各部の色、文字色および文字サイズを、保存手段によって保存された設定内容に応じた色、文字色および文字サイズに設定して、当該操作画面を表示させる手段を備えており、各操作画面を構成する各部は、画面の全体背景部と、画面名表示部と、画面内ボタンと、画面下部ヘルプ部と、ツリー上位移行部とからなり、画面名表示部は画面名を表す文字データと文字データを描画する下地部（矩形グラフィック）の２つのパーツからなり、画面内ボタンはボタン名を表す文字データと文字データを描画する下地部（矩形グラフィック）の２つのパーツからなり、画面下部ヘルプ部はその画面で有効となるキーのグラフィックスと、その操作方法を示す文字データと、それらを描画する下地部（矩形グラフィック）の３つのパーツからなり、ツリー上位移行部は当該階層画面の上位階層画面へ遷移を行うためのボタンのグラフイックスと、その意味を表す文字データと、それらを描画する下地部（矩形グラフィック）の３つのパーツからなり、上記色設定用操作画面は、全体背景部の色、画面名表示部の背景色、画面下部ヘルプ部の背景色、ツリー上位移行部の背景色、画面内ボタンの色、文字の色および文字の大きさのそれぞれをユーザに個別に設定させるための画面であり、上記設定手段は、上記色設定用操作画面上において、全体背景部の色、画面名表示部の背景色、画面下部ヘルプ部の背景色、ツリー上位移行部の背景色、画面内ボタンの色、文字の色および文字の大きさのそれぞれをユーザに個別に設定させるためのものであることを特徴とする。
【００１１】
【発明の実施の形態】
以下、図１〜図３を参照して、この発明の実施の形態について説明する。
【００１２】
〔１〕デジタルテレビ放送受信機の構成の説明
【００１３】
図１は、デジタルテレビ放送受信機の構成を示している。
【００１４】
デジタル放送波は、アンテナ１を介してチューナ２に送られ、高周波処理および復調が行われる。チューナ２からの出力はＤＥＭＵＸ回路３に送られ、パケットの復号が行われる。
【００１５】
ＤＥＭＵＸ回路３において、パケットは、ＭＰＥＧデータと番組案内情報等の付属情報とに分別される。ＤＥＭＵＸ回路３によって分離されたＭＰＥＧデータは、ＡＶデコーダ４に送られる。ＤＥＭＵＸ回路３によって分離された番組案内情報等の付属情報は、システムコントローラ２０に送られる。
【００１６】
システムコントローラ２０は、ＤＥＭＵＸ回路３から送られきた付属情報を、不揮発性メモリ２１に格納する。システムコントローラ２０には、リモコン送信機２２からのリモコン信号がリモコン受光器２３を介して入力される。
【００１７】
システムコントローラ２０は、チューナ２およびＤＥＭＵＸ回路３に選局のための情報等を送る。また、システムコントローラ２０は、各種操作画面をＣＲＴ８にオンスクリーン表示させるためのＯＳＤ制御信号を、ＯＳＤ表示回路２４に送る。ＯＳＤ表示回路２４は、各種操作画面の表示データを生成して、マルチプレクサ（合成回路）６に送る。
【００１８】
ＡＶデコーダ４は、ＤＥＭＵＸ回路３から送られきたＭＰＥＧデータを復調する。ＡＶデコーダ４によって得られた映像信号は、映像処理回路５を介してマルチプレクサ６に送られる。マルチプレクサ６は、映像処理回路５から出力された映像データにＯＳＤ表示回路２４から送られてきた表示データをスーパーインポーズ処理して、映像出力回路７に送る。映像出力回路７から出力された映像信号は、ＣＲＴ８に送られる。
【００１９】
ＡＶデコーダ４によって得られた音声信号は、音声処理回路９および音声出力回路１０を介してスピーカ１１に送られる。
【００２０】
〔２〕各種操作画面の基本的な構成の説明
【００２１】
図２は、デジタルテレビ放送受信機で表示される第１層の操作画面（以下、トップメニューという）を示している。
【００２２】
第２層以下の操作画面は、図示されていないが、基本的な画面構成は、トップメニューと同じである。
【００２３】
各操作画面は、背景部、画面名表示部、画面内ボタン、画面下部ヘルプ部およびツリー上位移行部とから構成されているものとする。
【００２４】
（１）背景部
画面の背景色であり、その大きさは画面と同じ物である。
【００２５】
（２）画面名表示部
図２中の上部に配置されている部分であって、「メニュー」と書かれている部分である。この部分は、「メニュー」文字データと、文字データを描画する下地部（矩形グラフィック）との２つのパーツから構成されている。
【００２６】
（３）画面内ボタン
図２中の「番組情報」、「ユーザ設定」などと書かれている部分である。この部分も「番組情報」等の文字データと、文字データを描画する下地部（矩形グラフィック）との２つのパーツから構成されている。
【００２７】
（４）画面下部ヘルプ部
図２中の下部に配置されている部分であって、当該画面で有効となるキー操作などを表示した部分である。この部分は、文字データと、有効キーグラフィックと、それらを描画する下地部（矩形グラフィック）との３つのパーツから構成されている。
【００２８】
（５）ツリー上位移行部
図２中の左端に配置されている部分であって、当該画面の上位階層画面へ遷移を行うためのボタンを表示した部分である。この部分は、文字データと、ボタングラフィックと、それらを描画する矩形グラフィックとの３つのパーツから構成されている。
【００２９】
〔３〕操作画面の遷移制御方法の説明
【００３０】
図３は、操作画面の遷移制御方法を示している。
【００３１】
ここでは、第１層の操作画面（トップメニュー）が１個、第２層の操作画面（サブメニュー）が６個、第３層の操作画面が２０個存在し、合計２７個の操作画面が存在するものとする。
【００３２】
各操作画面には、画面ＩＤが付与されている。第１層のトップメニューには、ＩＤ”０”が付与されている。第２層の各サブメニューには、ＩＤ”１”〜ＩＤ”６”が付与されている。第３層の各操作画面には、ＩＤ”１１”〜ＩＤ”６２”が付与されている。
【００３３】
第３層の各操作画面のＩＤの十の位は、その上位のサブメニューのＩＤを示している。第３層の各操作画面のＩＤの一の位は、その上位のサブメニュー内の選択項目の番号を示している。したがって、ＩＤ”６２”の操作画面は、ＩＤ”６”のサブメニューの２番目の選択項目が選択されることによって表示される画面であることを表している。
【００３４】
ＩＤ”６２”の操作画面は、各操作画面を構成する各パーツの色パターン、文字の大きさをユーザがカスタマイズするための操作画面であり、その一例が図４に示されている。
【００３５】
この操作画面には、詳細設定ボタン２０１および簡易設定ボタン２０２が設けられている。また、色を設定できる内容として、”全体背景色（背景部の色）”、”画面名背景色（図面名表示部の背景色）”、”ヘルプ背景色（画面下部ヘルプ部の背景色）”、”戻る部背景色（ツリー上位移行部の背景色）”、”ボタン色（画面内ボタンの色）”および”文字色”があり、それらの各設定項目名毎にカラーパレット表示部２１１〜２１６が設けられている。
【００３６】
また、文字の大きさを設定するために、文字の大きさを表す設定項目名に対応して、中（普通）および大の選択ボタンが設けられている。さらに、設定した内容を保存するためのボタン（保存ボタン）２２１が設けられている。
【００３７】
詳細設定ボタン２０１を選択した場合には、ユーザは、色を設定するための各設定項目をカーソル上下キーで選択した後、カーソル左右キーを押すことにより、対応するカラーパレット表示部内の色が変化するので、好みの色がカラーパレット表示部内に表示された状態で決定キーを押せば、当該設定項目に対応する色を設定することができる。
【００３８】
また、文字の大きさ表す設定項目名を選択した後、カーソル左右キーによって、中または大を選択した後、決定キーを押すことにより、文字の大きさを設定することができる。このようにな設定が終了した後にユーザが保存ボタン２２１を押すと、設定内容が不揮発性メモリ内の描画情報保持部１２０（図３参照）に保存される。
【００３９】
簡易設定ボタン２０２を選択した場合には、図４に破線で示すように、パターン１〜パターン５のパータン選択項目が表示されるので、ユーザはカーソル上下キーを操作していずれかのパターンを選択することになる。各パターン１〜５毎に、色を設定するための各項目に対する色パターンが予め定められて記憶されている。
【００４０】
パターン１〜パターン５のパータン選択項目のうちから、ユーザによって任意のパターンが選択されると、各カラーパレット表示部には選択されたパターンに対応する色が表示されるので、カラーパレット表示部に表示された色を見ながら、ユーザはいずれかのパターンを選択すればよい。設定終了後にユーザが保存ボタン２２１を押すと、設定内容が不揮発性メモリ内の描画情報保持部１２０（図３参照）に描画制御情報として保存される。
【００４１】
図３に示すように、各画面ＩＤ毎（各操作画面毎）に制御ソフトが存在している。各制御ソフトは、初期状態画面を表示させるための初期設定部Ａと、その操作画面上でのキー入力に応じた処理を行う制御部Ｂとから構成されている。
【００４２】
各種操作画面のツリー構造全体での制御ソフトは、２７個の操作画面に応じた２７個の制御ソフト１０１〜１２７と、これらの制御ソフトを管理するＭＡＩＮ部１００とから構成されている。
【００４３】
第２層の操作画面および第３層の操作画面に対する制御ソフト１０２〜１２７内の初期設定部Ａは、他の操作画面に対する制御ソフト１０１〜１２７内の制御部Ｂからの指令によって起動せしめられる。
【００４４】
指定された初期設定部Ａは、描画情報保持部１２０から描画制御情報を読み出し、対応する操作画面の初期状態画面を描画制御情報に応じた色パターンおよび文字の大きさで表示させる。また、指定された初期設定部Ａは、その初期設定部Ａを含む制御ソフトの画面ＩＤをＲＡＭ内の画面ＩＤ保持部１１０に書き込む。
【００４５】
ＭＡＩＮ部１００は、常時はリモコンキー待機状態にある（ステップＳ３１）。キー入力が行われると（ステップＳ３２）、ＭＡＩＮ部１００は、画面ＩＤ保持部１１０に保持されている画面ＩＤを読み取り（ステップＳ３３）、読み取った画面ＩＤに対応する制御ソフト内の制御部Ｂにキー入力されたキー情報を渡して（ステップＳ３４）、対応する処理をその制御部Ｂに行わせてキー入力待機状態となる（ステップＳ３１）。
【００４６】
たとえば、ＩＤ”０”の画面（トップメニュー）の制御ソフト１０１内の制御部ＢがＩＤ”１”の画面（サブメニュー）への画面の切替えを行う際には、ＩＤ”１”の画面の制御ソフト内の初期設定部Ａが起動せしめられる。そして、初期設定部Ａによって、画面が変更せしめられるとともにＩＤ保持部１１０内のＩＤが”０”から”１”に書き換えられる。
【００４７】
そして、キー入力が行われた場合には、ＭＡＩＮ部１００は、ＩＤ保持部１１０内からＩＤ”１”を読み取り、ＩＤ”１”の画面の制御ソフト１０２内の制御部Ｂに、入力されたキー情報を受け渡す。
【００４８】
なお、システム起動時には、画面ＩＤを格納するＩＤ保持部１１０にトップメニューに対応するＩＤ”０”の画面を示すデータが書き込まれ、ＩＤ”０”内の初期設定部Ａを起動した後、ＭＡＩＮ部１００はリモコンキー待機状態となる。
【００４９】
１台のデジタルテレビ放送受信機を複数のユーザが使用している場合には、各ユーザ毎に、操作画面の各部の色、文字色および文字の大きさを設定保存できるようにすることが好ましい。
【００５０】
具体的には、予めユーザ毎に割り当てられた番号キーを押すことによって、電源をオンさせるようにし、電源オンのために押された番号キーに基づいて、現在使用しているユーザを判別するようにしておく。また、予め登録されているユーザ毎に描画情報保持部１２０を設けておく。
【００５１】
操作画面の各部の色、文字色および文字の大きさを設定するための操作画面（図４）の保存ボタン２２１が押された場合には、現在使用しているユーザに対応する描画情報保持部１２０に、設定内容を描画制御情報として保存させる。
【００５２】
操作画面を表示させる際には、現在使用しているユーザに対応する描画情報保持部１２０から描画情報を読み出し、読み出した描画情報に応じた操作画面を生成して表示させる。
【００５３】
【発明の効果】
この発明によれば、操作画面上のグラフィック配色パターンをユーザがカスタマイズできるようになる。また、この発明によれば、操作画面上のグラフィック配色パターンおよび文字色をユーザがカスタマイズできるようになる。また、この発明によれば、操作画面上のグラフィック配色パターン、文字色および文字の大きさをユーザがカスタマイズできるようになる。
【図面の簡単な説明】
【図１】デジタルテレビ放送受信機の構成を示すブロック図である。
【図２】トップメニューの一例を示す模式図である。
【図３】操作画面の遷移制御方法を示すブロック図である。
【図４】各操作画面を構成する各パーツの色パターン、文字の大きさをユーザがカスタマイズするための操作画面の一例を示す模式図である。
【符号の説明】
１００  ＭＡＩＮ部
１０１〜１２７  制御ソフト
１１０  画面ＩＤ保持部
１２０  描画情報保持部
【図１】
0003594523.tif 000002
【図２】
0003594523.tif 000003
【図３】
0003594523.tif 000004
【図４】
0003594523.tif 000005